(57)【要約】【課題】媒体に独立なハンドオーバ（ＭＩＨ）能力情報を伝達するための方法およびシステムが開示される。【解決手段】無線通信システムは、異なる無線通信プロトコルの下で配備された複数の無線ネットワークを含む。マルチモードの無線送受信ユニット（ＷＴＲＵ）が、サービスの連続的享受のために１つの無線ネットワークから別の無線ネットワークへのハンドオーバを実行することができる。無線ネットワークは、無線ネットワークがＭＩＨサービスをサポートするかどうか、およびサポートされたＭＩＨのモードを示すメッセージをＷＴＲＵに送る。ＷＴＲＵは、メッセージを受け取り、そのメッセージに基づきハンドオーバの決定をする。【選択図】図７
2011223604.tif 000002
【特許請求の範囲】
【請求項１】
無線送受信ユニット（ＷＴＲＵ）における使用のための方法であって、
前記ＷＴＲＵのサポートされる媒体に独立なハンドオーバ（ＭＩＨ）能力を示す第１の２以上のビットを備える第１のＩＥＥＥ８０２．２１ＭＩＨサポートパラメータを含むＩＥＥＥ８０２．１６加入者局（ＳＳ）基本能力要求（ＳＢＣ−ＲＥＱ）メッセージを発生することと、
前記ＳＢＣ−ＲＥＱメッセージを基地局に送信することと、
前記ＳＢＣ−ＲＥＱメッセージに応答して前記基地局からＳＳ基本能力応答（ＳＢＣ−ＲＳＰ）メッセージを受信することであって、前記ＳＢＣ−ＲＳＰメッセージは前記基地局のサポートされるＭＩＨ能力を示す第２の２以上のビットを備える第２のＩＥＥＥ８０２．２１ＭＩＨサポートパラメータを含むことと、
前記受信されたＳＢＣ−ＲＳＰメッセージに基づいて前記基地局と関連付けることとを備え、
前記第２の２以上のビットは、前記基地局がＩＥＥＥ８０２．２１ＭＩＨ情報サービスをサポートするかどうか、前記基地局がＩＥＥＥ８０２．２１ＭＩＨコマンドサービスをサポートするかどうか、または前記基地局がＩＥＥＥ８０２．２１ＭＩＨイベントサービスをサポートするかどうかを示すことを特徴とする方法。
【請求項２】
請求項１に記載の方法であって、前記第２の２以上のビットの第１のビットが「１」に設定されるという条件で、ＩＥＥＥ８０２．２１ＭＩＨは、サポートされることを特徴とする方法。
【請求項３】
請求項１に記載の方法であって、前記第２の２以上のビットの第１のビットが「０」に設定されるという条件で、ＩＥＥＥ８０２．２１ＭＩＨは、サポートされないことを特徴とする方法。
【請求項４】
請求項１に記載の方法であって、前記ＳＢＣ−ＲＥＱおよびＳＢＣ−ＲＳＰメッセージは、ＩＥＥＥ８０２．１６媒体アクセス制御（ＭＡＣ）管理メッセージであることを特徴とする方法。
【請求項５】
無線送受信ユニット（ＷＴＲＵ）であって、
ＩＥＥＥ８０２．１６加入者局（ＳＳ）基本能力要求（ＳＢＣ−ＲＥＱ）メッセージを発生するように構成されたコントローラであって、前記ＳＢＣ−ＲＥＱメッセージは、サポートされる媒体に独立なハンドオーバ（ＭＩＨ）能力を示す第１の２以上のビットを備える第１のＩＥＥＥ８０２．２１ＭＩＨサポートパラメータを含む、コントローラと、
前記ＳＢＣ−ＲＥＱメッセージを基地局に送信するように構成された送信機と、
前記ＳＢＣ−ＲＥＱメッセージに応答して前記基地局からＳＳ基本能力応答（ＳＢＣ−ＲＳＰ）メッセージを受信するように構成された受信機であって、前記ＳＢＣ−ＲＳＰメッセージは、サポートされるＭＩＨ能力を示す第２の２以上のビットを備える第２のＩＥＥＥ８０２．２１ＭＩＨサポートパラメータを含む、受信機とを備え、
前記コントローラは、前記受信されたＳＢＣ−ＲＳＰメッセージに基づいて前記基地局と関連付けるようにさらに構成され、
前記第２の２以上のビットは、前記基地局がＩＥＥＥ８０２．２１ＭＩＨ情報サービスをサポートするかどうか、前記基地局がＩＥＥＥ８０２．２１ＭＩＨコマンドサービスをサポートするかどうか、または前記基地局がＩＥＥＥ８０２．２１ＭＩＨイベントサービスをサポートするかどうか示すことを特徴とするＷＴＲＵ。
【請求項６】
請求項５に記載のＷＴＲＵであって、前記第２の２以上のビットの第１のビットが「１」に設定されるという条件で、ＩＥＥＥ８０２．２１ＭＩＨは、サポートされることを特徴とするＷＴＲＵ。
【請求項７】
請求項５に記載のＷＴＲＵであって、前記第２の２以上のビットの第１のビットが「０」に設定されるという条件で、ＩＥＥＥ８０２．２１ＭＩＨは、サポートされないことを特徴とするＷＴＲＵ。
【請求項８】
請求項５に記載のＷＴＲＵであって、前記ＳＢＣ−ＲＥＱおよびＳＢＣ−ＲＳＰメッセージは、ＩＥＥＥ８０２．１６媒体アクセス制御（ＭＡＣ）管理メッセージであることを特徴とするＷＴＲＵ。
【請求項９】
基地局における使用のための方法であって、
無線送受信ユニット（ＷＴＲＵ）のサポートされる媒体に独立なハンドオーバ（ＭＩＨ）能力を示す第１の２以上のビットを備える第１のＩＥＥＥ８０２．２１ＭＩＨサポートパラメータを含むＩＥＥＥ８０２．１６加入者局（ＳＳ）基本能力要求（ＳＢＣ−ＲＥＱ）メッセージを受信することと、
前記ＳＢＣ−ＲＥＱメッセージに応答してＳＳ基本能力応答（ＳＢＣ−ＲＳＰ）メッセージを発生することであって、前記ＳＢＣ−ＲＳＰメッセージはサポートされるＭＩＨ能力を示す第２の２以上のビットを備える第２のＩＥＥＥ８０２．２１ＭＩＨサポートパラメータを含むことと、
前記ＳＢＣ−ＲＳＰメッセージを送信することとを備え、
前記第２の２以上のビットは、前記基地局がＩＥＥＥ８０２．２１ＭＩＨ情報サービスをサポートするかどうか、前記基地局がＩＥＥＥ８０２．２１ＭＩＨコマンドサービスをサポートするかどうか、または前記基地局がＩＥＥＥ８０２．２１ＭＩＨイベントサービスをサポートするかどうかを示すために使用されうることを特徴とする方法。
【請求項１０】
請求項９に記載の方法であって、前記第２の２以上のビットの第１のビットが「１」に設定されるという条件で、ＩＥＥＥ８０２．２１ＭＩＨは、サポートされることを特徴とする方法。
【請求項１１】
請求項９に記載の方法であって、前記第２の２以上のビットの第１のビットが「０」に設定されるという条件で、ＩＥＥＥ８０２．２１ＭＩＨは、サポートされないことを特徴とする方法。
【請求項１２】
請求項９に記載の方法であって、前記ＳＢＣ−ＲＥＱおよびＳＢＣ−ＲＳＰメッセージは、ＩＥＥＥ８０２．１６媒体アクセス制御（ＭＡＣ）管理メッセージであることを特徴とする方法。
【請求項１３】
基地局であって、
無線送受信ユニット（ＷＴＲＵ）のサポートされる媒体に独立なハンドオーバ（ＭＩＨ）能力を示す第１の２以上のビットを備える第１のＩＥＥＥ８０２．２１ＭＩＨサポートパラメータを含むＩＥＥＥ８０２．１６加入者局（ＳＳ）基本能力要求（ＳＢＣ−ＲＥＱ）メッセージを受信するように構成された受信機と、
前記ＳＢＣ−ＲＥＱメッセージに応答してＳＳ基本能力応答（ＳＢＣ−ＲＳＰ）メッセージを発生するように構成されたコントローラであって、前記ＳＢＣ−ＲＳＰメッセージはサポートされるＭＩＨ能力を示す第２の２以上のビットを備える第２のＩＥＥＥ８０２．２１ＭＩＨサポートパラメータを含む、コントローラと、
前記ＳＢＣ−ＲＳＰメッセージを送信するように構成された送信機とを備え、
前記第２の２以上のビットは、前記基地局がＩＥＥＥ８０２．２１ＭＩＨ情報サービスをサポートするかどうか、前記基地局がＩＥＥＥ８０２．２１ＭＩＨコマンドサービスをサポートするかどうか、または前記基地局がＩＥＥＥ８０２．２１ＭＩＨイベントサービスをサポートするかどうかを示すために使用されうることを特徴とする基地局。
【請求項１４】
請求項１３に記載の基地局であって、前記第２の２以上のビットの第１のビットが「１」に設定されるという条件で、ＩＥＥＥ８０２．２１ＭＩＨは、サポートされることを特徴とする基地局。
【請求項１５】
請求項１３に記載の基地局であって、前記第２の２以上のビットの第１のビットが「０」に設定されるという条件で、ＩＥＥＥ８０２．２１ＭＩＨは、サポートされないことを特徴とする基地局。
【請求項１６】
請求項１３に記載の基地局であって、前記ＳＢＣ−ＲＥＱおよびＳＢＣ−ＲＳＰメッセージは、ＩＥＥＥ８０２．１６媒体アクセス制御（ＭＡＣ）管理メッセージであることを特徴とする基地局。
【発明の詳細な説明】
【技術分野】
【０００１】
本発明は、無線通信システムに関する。より詳細には、本発明は、媒体に独立なハンドオーバ（ＭＩＨ：Ｍｅｄｉａ  Ｉｎｄｅｐｅｎｄｅｎｔ  Ｈａｎｄｏｖｅｒ）能力情報を伝達するための方法およびシステムに関する。
【背景技術】
【０００２】
現在では、多くの異なるタイプの無線通信ネットワークが配備され、それぞれの無線ネットワークが対象とする特定のサービスを提供している。ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）ネットワークなどの、セルラ・ネットワークが高速の移動性をサポートしつつ、極めて広いカバレッジにおいて比較的低速から中速のデータ速度サービスを提供する一方、例えば、ＩＥＥＥ８０２．ｘｘベースのネットワークなどの無線ローカル・エリア・ネットワーク（ＷＬＡＮ）は、限定されたカバレッジにおいて高いデータレートのサービスを提供する。
【発明の概要】
【発明が解決しようとする課題】
【０００３】
ＩＥＥＥ８０２．２１ＭＩＨは、これら異種のネットワーク間での継ぎ目のないハンドオーバのために提案され、これら異種のネットワーク間でローミングしつつサービスの連続的享受を可能とする。しかしながら、ＭＩＨは、すべてのネットワークによってサポートされる訳ではなく、サポートされるＭＩＨのモードがネットワーク毎に変わる場合がある。したがって、無線送受信ユニット（ＷＴＲＵ：Ｗｉｒｅｌｅｓｓ  Ｔｒａｎｓｍｉｔ／Ｒｅｃｅｉｖｅ  Ｕｎｉｔ）にＭＩＨ能力情報（例えば、無線ネットワークがＭＩＨをサポートするかどうかや、サポートするならＭＩＨのどのモードをサポートするかを含む）を提供することが望ましいであろう。
【課題を解決するための手段】
【０００４】
本発明はＭＩＨ能力情報を伝達するための方法およびシステムに関する。無線通信システムは、異なる無線通信プロトコルの下で配備された複数の無線ネットワークを含む。マルチモードＷＴＲＵは、サービスを連続して享受するために、１つの無線ネットワークから別の無線ネットワークへのハンドオーバを実行することができる。無線ネットワークは、その無線ネットワークがＭＩＨサービスをサポートするかどうか、およびサポートするＭＩＨのモードを示すメッセージをＷＴＲＵに送る。ＷＴＲＵは、そのメッセージを受け取り、そのメッセージに基づき、ハンドオーバの決定をする。
【０００５】
例として与えられ、添付の図面に関連して理解されるべき好適な実施形態の以下の説明から、本発明のより詳細な理解を得ることができる。
【図面の簡単な説明】
【０００６】
【図１】本発明により構成された例示的無線通信システムを示す図である。
【図２】本発明による、ＭＩＨサービスを伝達するための論理的リンク制御（ＬＬＣ）カプセル化による媒体アクセス制御（ＭＡＣ）プロトコル・データ・ユニット（ＰＤＵ）を示す図である。
【図３】本発明によるＭＩＨサービスを伝達するためのＩＰフレームを示す図である。
【図４】本発明による、オクテット全体を用いてＭＩＨ能力情報を伝達するための例示的ビット・マップを示す図である。
【図５】本発明による、ビーコン・フレームの能力情報フィールドにおいてＭＩＨ能力情報を伝達するための例示的ビット・マップを示す図である。
【図６】本発明による、ＭＩＨ能力情報を伝達するための例示的ビット・マップを示す図である。
【図７】本発明によるＷＴＲＵのブロック図である。
【発明を実施するための形態】
【０００７】
これ以降、用語「ＷＴＲＵ」は、限定するものではないが、ユーザ設備（ｕｓｅｒ  ｅｑｕｉｐｍｅｎｔ）、移動局、固定または移動の加入者ユニット、ページャ、または無線環境において動作する能力のある任意の他のタイプの装置を含む。以降で参照される場合、用語「基地局」およびアクセス・ポイント（ＡＰ）は、限定するものではないが、ノードＢ、サイトコントローラ、または無線環境における任意の他のタイプのインタフェースデバイスを含む。
【０００８】
本発明の特徴は、集積回路（ＩＣ）に組み込んだり、または多数の相互接続されたコンポーネントを備えた回路で構成したりすることができる。
【０００９】
図１は、本発明により構成された例示的無線通信システム１００を示している。システム１００は、異なる無線通信規格の下で並行して配備され、互いに重なるかもしれないし、または重ならないかもしれない特定のカバレッジ領域において特定のサービスを提供する、複数の無線ネットワーク１１０および１１１ａ〜１１１ｎを含む。例えば、システム１００は、セルラ・ネットワーク１１０および複数の無線ローカル・エリア・ネットワーク１１１ａ〜１１１ｎを含む場合がある。セルラ・ネットワーク１１０は、３ＧＰＰ（３ｒｄ  Ｇｅｎｅｒａｔｉｏｎ  Ｐａｒｔｎｅｒｓｈｉｐ  Ｐｒｏｊｅｃｔ）のネットワークまたは３ＧＰＰ２のネットワークとすることができ、無線ローカル・エリア・ネットワーク１１１ａ〜１１１ｎは、ＩＥＥＥ８０２ベースのネットワーク（８０２．１１ベースライン、８０２．ｌｌａ、８０２．ｌｌｂ、８０２．ｌｌｇ、８０２．ｌｌｊ、８０２．ｌｌｎ、８０２．ｌｌｅ、８０２．ｌｌｓ、８０２．１１ｋ、８０２．ｌｌｖ、８０２．１５、８０２．１６、および８０２．２１のネットワークなど）、ブルートゥース（Ｂｌｕｅｔｏｏｔｈ（登録商標））ネットワーク、ＨＩＰＥＲＬＡＮ／２、または任意の他のタイプのネットワークとすることができる。セルラ・ネットワーク１１０は、複数のセル１１２を含み、そのそれぞれは基地局１１４によりカバーされている。ＷＬＡＮの１１１ａ〜１１１ｎはＡＰ１２２ａ〜１２２ｎによってそれぞれサービスされている。
【００１０】
ＷＴＲＵ１３０が複数の異種のネットワーク１１０および１１１ａ〜１１１ｎ（例えば、セルラ・ネットワークとＷＬＡＮ）が並行して配備されている領域の辺りでローミングする場合に、ＷＴＲＵ１３０は、ユーザによって要求されたサービスの要件に基づき、最も適切なネットワークを迅速に決定する必要がある。例えば、ビデオ・アプリケーションは高帯域幅チャンネルを必要とする場合があり、音声アプリケーションは低帯域幅チャンネルで十分である場合がある。ＷＴＲＵ１３０が適切なネットワークを見つけ出すことができる速度は、利用可能なネットワークからネットワーク情報を取り出す能力に依存する。
【００１１】
本発明によると、ネットワーク１１０および１１１ａ〜１１１ｎは、好ましくはブロードキャスト・チャンネル経由でＭＩＨ能力情報をＷＴＲＵ１３０に伝達する。ＭＩＨ能力情報は、有線または無線媒体のいずれかを介して伝送することができる。ＭＩＨ能力情報は、ネットワークがＭＩＨサービスをサポートするかどうかだけでなく、サポートされるＭＩＨのモードをも示す。ＭＩＨサービスには、ハンドオーバに関連する情報、イベント、およびコマンドを伝達するための情報サービス、イベント・サービス、およびコマンド・サービスが含まれる。サポートされるＭＩＨのモードは、ネットワークによってサポートされるＭＩＨ機能を示す。これら２つの情報により、ＷＴＲＵ１３０は、特定のネットワークがハンドオーバのために考慮されるべきかどうかに関して、より理にかなった決定をすることができる。
【００１２】
例えば、ＭＩＨサービスは、（インターネット・プロトコル（ＩＰ）など）レイヤ２（Ｌ２）手順およびメッセージ、またはレイヤ３（Ｌ３）手順およびメッセージのいずれかによって提供することができる。図２は、本発明による、ＭＩＨサービスを伝達するためのＬＬＣカプセル化によるＭＡＣ  ＰＤＵ２００を示している。ＭＡＣ  ＰＤＵ２００には、ＭＡＣヘッダ２０２、ＬＬＣヘッダ２０４、ＲＦＣ１０４２カプセル化２０６、イーサ・タイプ・フィールド２０８、フレーム本体２１０、およびフレーム検査シーケンス（ＦＣＳ）フィールド２１２が含まれる。ＬＬＣヘッダ２０４には、サブネットワーク・アクセス・プロトコル（ＳＮＡＰ）あて先サービス・アクセス・ポイント（ＤＳＡＰ）フィールド２１４、ＳＮＡＰ送信元サービス・アクセス・ポイント（ＳＳＡＰ）フィールド２１６、および制御フィールド２１８が含まれる。ＲＦＣ１０４２カプセル化２０６およびイーサ・タイプ・フィールド２０８は、ＩＥＥＥ８０２ネットワーク上でＩＰデータグラムを運ぶために使用される。ＭＩＨサービスの提供のために使用されるＭＩＨプロトコルは、ＭＩＨプロトコルを一意的に識別する新規のイーサ・タイプ２０８を定義することにより、ＬＬＣカプセル化を用いてＬ２トランスポートを介して運ぶことができる。ＭＩＨヘッダ２２０およびＭＩＨペイロード２２２は、フレーム本体２１０に含まれる。
【００１３】
あるいは、ＩＰなどのより高いレイヤのプロトコルを使用して同様の結果を達成することができる。図３は、本発明によるＭＩＨサービスを伝達するためのＩＰフレーム３００を示している。ＭＩＨサービスは、新規のプロトコルＩＤ３０２を定義し、ＩＰフレーム３００のデータ・フィールド３０４内にＭＩＨプロトコルをカプセル化することによって、ＩＰフレームを介してトランスポートされる。
【００１４】
本発明は、特定のネットワークにおいてどのトランスポートの方法がサポートされるかを判定する手段をＷＴＲＵに提供する。この情報は、ＭＩＨモード・パラメータを通して提供される。
【００１５】
現在のブロードキャスト・チャンネル上には、あまり多くの利用可能なスペースがないため、最小のビット数、好ましくは２ビットが、ＭＩＨ能力情報を伝達するために使用されるべきである。単純なビット・マップにより、ＭＩＨの機能に関するネットワーク１１０および１１１ａ〜１１１ｎの能力の手っ取り早い表示がＷＴＲＵ１３０に提供される。より多くのスペースが利用可能であるなら、図４に示されるように、より多くのビット（例えば、オクテット全部）を用いてより多くの情報を提供することができる。
【００１６】
Ｂ０およびＢ１の２ビットを用いた例示的ビット・マップについて以降に説明する。２ビットの組み合わせにより、ネットワーク１１０および１１１ａ〜１１１ｎがＭＩＨサービスをサポートするかどうか、およびサポートされるＭＩＨのモードが表示される。例えば、Ｂ１＝「０」かつＢ０＝「０」なら、これはネットワーク１１０および１１１ａ〜１１１ｎがいずれのＭＩＨサービスも提供しないことを示す。しかしながら、そのような場合でも、ＷＴＲＵ１３０はＩＰ接続によって依然としてＭＩＨサービスを得ることができる。Ｂ１＝「０」かつＢ０＝「１」なら、これはネットワーク１１０および１１１ａ〜１１１ｎが、何らかのＭＩＨサービスを提供すること、およびＩＰ接続性に依存する必要なく、イーサネット接続上でＬ２手順を介して（図２に示されるように）情報サービスにアクセスすることができることを示す。Ｂ１＝「１」かつＢ０＝「１」なら、これはネットワーク１１０および１１１ａ〜１１１ｎがＭＩＨサービスを提供すること、およびＩＰ接続上でＬ２手順およびＬ３手順を介して（図３に示されるように）情報サービスにアクセス可能であることを示す。Ｂ１＝「１」かつＢ０＝「０」なら、これはネットワーク１１０および１１１ａ〜１１１ｎが何らかのＭＩＨサービス（すなわち、コマンドやイベント・サービス）を提供するが、情報サービスにはＬ３手順を介して（すなわち、ＩＰ接続経由で）のみアクセスすることができることを示す。
【００１７】
図５は、本発明による、ＩＥＥＥ８０２．１１ネットワークにおいてビーコン・フレームの能力情報フィールド５００にてＭＩＨ能力情報を伝達するための例示的ビット・マップを示している。この例においては、ＭＩＨサポート・ビット５０２およびＭＩＨモード・ビット５０４が、ビーコン・フレームの能力フィールド５００に追加されている。上記の例のＢ０およびＢ１は、それぞれＭＩＨサポート・ビット５０２およびＭＩＨモード・ビット５０４と置き換えられる。
【００１８】
図６は、本発明による、ＩＥＥＥ８０２．１６ネットワークにおいてＭＩＨ能力情報を伝達するための例示的ビット・マップを示している。ＩＥＥＥ８０２．１６は、加入者局（ＳＳ：Ｓｕｂｓｃｒｉｂｅｒ  Ｓｔａｔｉｏｎ）基本能力要求（ＳＢＣ−ＲＥＱ：ＳＳ  Ｂａｓｉｃ  Ｃａｐａｂｉｌｉｔｙ  Ｒｅｑｕｅｓｔ）メッセージおよびＳＳ基本能力応答（ＳＢＣ−ＲＳＰ：ＳＳ  Ｂａｓｉｃ  Ｃａｐａｂｉｌｉｔｙ  Ｒｅｓｐｏｎｓｅ）メッセージを含む１セットの媒体アクセス制御（ＭＡＣ：Ｍｅｄｉｕｍ  Ａｃｃｅｓｓ  Ｃｏｎｔｒｏｌ）管理メッセージを定義している。ＳＢＣ−ＲＥＱおよびＳＢＣ−ＲＳＰメッセージは、初期化期間に、ＷＴＲＵおよびネットワークの間で交換される。ＷＴＲＵは、ＳＢＣ−ＲＥＱメッセージを発生し、それをネットワークに送る。ＷＴＲＵはＳＢＣ−ＲＥＱメッセージ中に、サポートされる物理的パラメータおよび帯域幅の割り振りを含む。ネットワークは、ＳＢＣ−ＲＥＱメッセージに応答して、ＳＢＣ−ＲＳＰメッセージを送る。ネットワークは、ＳＢＣ−ＲＥＱメッセージにある能力のサブセットに応答して、それらが使用できるかを示す。
【００１９】
本発明により、ＳＢＣ−ＲＥＱおよびＳＢＣ−ＲＳＰメッセージについて新規のＭＡＣ管理メッセージタイプがＭＩＨサポートのために定義される。図６は、この目的のために例示的なＩＥＥＥ８０２．１６ビット・マップを示している。ビット＃０は予約されている。「０」に設定されたビット＃１は、ネットワークによってＭＩＨがサポートされないことを示し、「１」に設定されたビット＃１は、ネットワークによってＭＩＨサービスがサポートされることを示す。「０」に設定されたビット＃２は、ＭＩＨ情報がイーサネット・トランスポート上でアクセス可能であることを示し、「１」に設定されたビット＃２は、ＭＩＨ情報がＩＰトランスポート上でアクセス可能であることを示す。他のビットを使用して、他の能力情報を伝達することができる。
【００２０】
再び図４を参照すると、本発明によるオクテット全部を用いてＭＩＨ能力情報を伝達するための例示的なビット・マップが示されている。第１のビットＢ０は、ネットワークがＭＩＨサービスをサポートするかどうかを示す（すなわち、Ｂ０＝「１」なら、これは、ネットワークがＭＩＨサービスをサポートすることを示し、Ｂ０＝「０」なら、これは、ネットワークがＭＩＨサービスをサポートしないことを示す）。ネットワークがＭＩＨサービスをサポートする場合（すなわち、Ｂ０＝「１」）には、追加的ビット（図４の例においては、７ビットＢ１〜Ｂ７）により、これらのサービスを提供するネットワークの能力に関するさらなる情報が提供される。Ｂ１＝「０」なら、これは、ＩＰ上で別のネットワーク・エンティティとコンタクトする必要がなく、ＭＩＨサービスが利用可能であることを示す。Ｂ１＝「１」なら、これは、ネットワークがＬ２手順を介してＭＩＨサービス（特に情報サービス）をサポートせず、したがってＷＴＲＵがＬ３トランスポート上で情報サーバとコンタクトする必要があることを示す。Ｂ２が設定されている（すなわち、Ｂ２＝「１」）なら、これは、ネットワークがセルラ統合（ｃｅｌｌｕｌａｒ  ｉｎｔｅｇｒａｔｉｏｎ）サポートを提供することを示し、Ｂ３が設定されている（すなわち、Ｂ３＝「１」）なら、これは、ネットワークがＩＥＥＥ８０２．１６サポートを提供することを示す。同じように他の能力情報を提供することができる。
【００２１】
図４〜６に示されたビット・マップは、限定としてではなく、一例として提供されたものであり、任意の変更が可能であることに注意されたい。
【００２２】
図７は、本発明によるＷＴＲＵ７００のブロック図である。ＷＴＲＵ７００は、受信機７０２およびハンドオーバコントローラ７０４を含む。受信機７０２は、ネットワークから送信されたメッセージを受け取るように構成される。ハンドオーバコントローラ７０４は、メッセージからＭＩＨ情報を抽出するように構成される。ＭＩＨ情報は前に説明したように、無線ネットワークがＭＩＨサービスをサポートするかどうか、およびサポートされるＭＩＨのモードを示す。ハンドオーバコントローラ７０４は、その後、ＭＩＨ情報に基づきハンドオーバを実行する。ＷＴＲＵ７００は、メッセージを要求する要求をネットワークに送るように構成された送信機７０６をさらに備えることができ、その要求に応答してメッセージが送り返される。
【００２３】
本発明の実施形態
１．異なる無線通信プロトコルの下で配備された複数の無線ネットワークを含む無線通信システムにおいて、マルチモードＷＴＲＵへＭＩＨ情報を提供する方法であって、無線ネットワークは、前記無線ネットワークがＭＩＨサービスをサポートするかどうかを示す指示と、サポートされるＭＩＨのモードについての情報とを含むメッセージをＷＴＲＵに送り、前記ＷＴＲＵが前記メッセージに基づきネットワーク・ハンドオーバの決定をすることを特徴とする方法。
【００２４】
２．前記メッセージは、ブロードキャストされることを特徴とする実施形態１に記載の方法。
【００２５】
３．前記メッセージは、ビーコン・フレームに含まれることを特徴とする実施形態２に記載の方法。
【００２６】
４．前記メッセージは、前記ビーコン・フレームの能力情報フィールドに含まれることを特徴とする実施形態３に記載の方法。
【００２７】
５．前記メッセージは、情報サービスがイーサネット上で配信されるかどうか、情報サービスがＩＰネットワーク上で配信されるかどうか、セルラ統合サポート、およびＩＥＥＥ８０２．１６サポートの少なくとも１つを示すことを特徴とする実施形態１〜４のいずれかに記載の方法。
【００２８】
６．前記メッセージは、前記ＷＴＲＵからの要求に応答して送られることを特徴とする実施形態１〜５のいずれかに記載の方法。
【００２９】
７．前記メッセージは、ＩＥＥＥ８０２．１６ＭＡＣ管理メッセージであることを特徴とする実施形態１〜６のいずれかに記載の方法。
【００３０】
８．前記メッセージは、ＳＢＳ−ＲＥＱメッセージに応答して送られるＳＢＳ−ＲＳＰメッセージであることを特徴とする実施形態７に記載の方法。
【００３１】
９．ＭＩＨ能力情報を提供することによりＭＩＨを容易にするように構成された無線通信システムであって、少なくとも２つの無線通信プロトコルをサポートするための少なくとも２つの無線インタフェースを含むマルチモードＷＴＲＵと、異なる無線通信規格の下で並行して配備された複数の無線ネットワークとを備え、前記無線ネットワークは、ＭＩＨサポート表示およびサポートされたＭＩＨのモードを含むメッセージを送るように構成され、前記ＷＴＲＵが前記メッセージに基づきネットワーク・ハンドオーバの決定をすることを特徴とするシステム。
【００３２】
１０．前記無線ネットワークは、前記メッセージをブロードキャストすることを特徴とする実施形態９に記載のシステム。
【００３３】
１１．前記無線ネットワークは、ビーコン・フレームに前記メッセージを含むことを特徴とする実施形態１０に記載のシステム。
【００３４】
１２．前記無線ネットワークは、前記ビーコン・フレームの能力情報フィールドに前記メッセージを含むことを特徴とする実施形態１１に記載のシステム。
【００３５】
１３．前記メッセージは、情報サービスがイーサネット上で配信されるかどうか、情報サービスがＩＰネットワーク上で配信されるかどうか、セルラ統合サポート、およびＩＥＥＥ８０２．１６サポートの少なくとも１つを示すことを特徴とする実施形態９〜１２のいずれかに記載のシステム。
【００３６】
１４．前記無線ネットワークは、前記ＷＴＲＵからの要求に応答して前記メッセージを送ることを特徴とする実施形態９〜１３のいずれかに記載のシステム。
【００３７】
１５．前記メッセージは、ＩＥＥＥ８０２．１６ＭＡＣ管理メッセージであることを特徴とする実施形態９〜１４のいずれかに記載のシステム。
【００３８】
１６．前記メッセージは、ＳＢＳ−ＲＥＱメッセージに応答して送られるＳＢＳ−ＲＳＰメッセージであることを特徴とする実施形態１５に記載のシステム。
【００３９】
１７．ＭＩＨ能力情報を提供することによりＭＩＨを容易にするように構成された無線通信システムであって、少なくとも２つの無線通信プロトコルをサポートするための少なくとも２つの無線インタフェースと、ネットワーク・ハンドオーバの決定をするための手段とを含むマルチモードＷＴＲＵと、異なる無線通信規格の下で並行して配備された複数の無線ネットワークであって、前記無線ネットワークがＭＩＨサポート表示およびサポートされたＭＩＨのモードを含むメッセージを前記ＷＴＲＵに送るための手段を含み、前記ＷＴＲＵが前記メッセージに基づきネットワーク・ハンドオーバの決定をする、無線ネットワークとを備えることを特徴とするシステム。
【００４０】
１８．前記無線ネットワークは、前記メッセージをブロードキャストするように構成されることを特徴とする実施形態１７に記載のシステム。
【００４１】
１９．前記無線ネットワークは、ビーコン・フレームに前記メッセージを含むことを特徴とする実施形態１８に記載のシステム。
【００４２】
２０．前記無線ネットワークは、前記ビーコン・フレームの能力情報フィールドに前記メッセージを含むことを特徴とする実施形態１９に記載のシステム。
【００４３】
２１．前記メッセージは、情報サービスがイーサネット上で配信されるかどうか、情報サービスがＩＰネットワーク上で配信されるかどうか、セルラ統合サポート、およびＩＥＥＥ８０２．１６サポートの少なくとも１つを示すことを特徴とする実施形態１７〜２０のいずれかに記載のシステム。
【００４４】
２２．前記ＷＴＲＵは、前記無線ネットワークに要求を送るための手段を含み、前記無線ネットワークが前記ＷＴＲＵからの要求に応答して前記メッセージを送ることを特徴とする実施形態１７〜２１のいずれかに記載のシステム。
【００４５】
２３．前記ＷＴＲＵのインタフェースの１つは、ＩＥＥＥ８０２．１６インタフェースであり、前記無線ネットワークの１つは、ＩＥＥＥ８０２．１６ネットワークであり、前記メッセージは、ＩＥＥＥ８０２．１６ＭＡＣ管理メッセージであることを特徴とする実施形態１７〜２２のいずれかに記載のシステム。
【００４６】
２４．前記メッセージは、ＳＢＳ−ＲＥＱメッセージに応答して送られるＳＢＳ−ＲＳＰメッセージであることを特徴とする実施形態２３に記載のシステム。
【００４７】
２５．異なる無線通信プロトコルの下で配備された複数の無線ネットワークを含む無線通信システムにおいて、サービスの連続的享受のために１つの無線ネットワークから別の無線ネットワークへのハンドオーバを実行するように構成されたＷＴＲＵであって、ネットワークからメッセージを受け取るように構成された受信機と、前記無線ネットワークがＭＩＨサービスをサポートするかどうか、およびサポートされたＭＩＨのモードを示すＭＩＨ情報を前記メッセージから抽出し、前記ＭＩＨ情報に基づきハンドオーバを実行するように構成されたハンドオーバ・コントローラとを備えることを特徴とするＷＴＲＵ。
【００４８】
２６．前記メッセージは、ブロードキャストされることを特徴とする実施形態２５に記載のＷＴＲＵ。
【００４９】
２７．前記メッセージは、ビーコン・フレームに含まれることを特徴とする実施形態２６に記載のＷＴＲＵ。
【００５０】
２８．前記メッセージは、前記ビーコン・フレームの能力情報フィールドに含まれることを特徴とする実施形態２７に記載のＷＴＲＵ。
【００５１】
２９．前記メッセージは、情報サービスがイーサネット上で配信されるかどうか、情報サービスがＩＰネットワーク上で配信されるかどうか、セルラ統合サポート、およびＩＥＥＥ８０２．１６サポートの少なくとも１つを示すことを特徴とする実施形態２５に記載のＷＴＲＵ。
【００５２】
３０．前記ネットワークに要求を送るように構成された送信機であって、前記メッセージが前記要求に応答して送られる送信機をさらに備えることを特徴とする実施形態２５に記載のＷＴＲＵ。
【００５３】
３１．前記メッセージは、ＩＥＥＥ８０２．１６媒体アクセス制御（ＭＡＣ）管理メッセージであることを特徴とする実施形態３０に記載のＷＴＲＵ。
【００５４】
３２．前記メッセージは、加入者局（ＳＳ）基本能力要求（ＳＢＣ−ＲＥＱ）メッセージであり、前記要求は、ＳＳ基本能力応答（ＳＢＣ−ＲＳＰ）メッセージであることを特徴とする実施形態３１に記載のＷＴＲＵ。
【００５５】
本発明の特徴および要素が特定の組み合わせで好適な実施形態において説明されているが、各特徴または要素は、好適な実施形態の他の特徴および要素なしで単独で、または本発明の他の特徴および要素のあるなしにかかわらず様々な組み合わせで使用することができる。
【図１】
2011223604.tif 000003
【図２】
2011223604.tif 000004
【図３】
2011223604.tif 000005
【図４】
2011223604.tif 000006
【図５】
2011223604.tif 000007
【図６】
2011223604.tif 000008
【図７】
2011223604.tif 000009
【手続補正書】
【提出日】平成23年9月6日(2011.9.6)
【手続補正１】
【補正対象書類名】特許請求の範囲
【補正対象項目名】全文
【補正方法】変更
【補正の内容】
【特許請求の範囲】
【請求項１】
無線送受信ユニット（ＷＴＲＵ）における使用のための方法であって、
無線ネットワークからメッセージを受信することであって、前記メッセージは、媒体に独立なハンドオーバ（ＭＩＨ）モードパラメータおよびＭＩＨサポートパラメータを含み、前記無線ネットワークがＭＩＨ情報サービスをサポートするかどうか、前記ネットワークがＭＩＨコマンドサービスをサポートするかどうか、および前記ネットワークがＭＩＨイベントサービスをサポートするかどうかを示し、前記メッセージは、ＩＥＥＥ８０６．１６媒体アクセス制御（ＭＡＣ）管理メッセージであることと、
前記受信したパラメータに基づき前記ネットワークと関連付けるかどうかを決定することと
を備えることを特徴とする方法。
【請求項２】
前記メッセージは、ブロードキャストチャンネルを介して受信されることを特徴とする請求項１に記載の方法。
【請求項３】
前記メッセージは、ビーコン・フレームに含まれることを特徴とする請求項２に記載の方法。
【請求項４】
前記メッセージは、前記ビーコン・フレームの能力情報フィールドに含まれることを特徴とする請求項３に記載の方法。
【請求項５】
前記メッセージは、要求に応答して受信されることを特徴とする請求項１に記載の方法。
【請求項６】
前記メッセージは、加入者局（ＳＳ）基本能力要求（ＳＢＣ−ＲＥＱ）メッセージに応答して受信されるＳＳ基本能力応答（ＳＢＣ−ＲＳＰ）メッセージであることを特徴とする請求項１に記載の方法。
【請求項７】
無線送受信ユニット（ＷＴＲＵ）であって、
ネットワークからメッセージを受け取るように構成された受信機と、
前記メッセージから媒体に独立なハンドオーバ（ＭＩＨ）能力情報を抽出するように構成されたコントローラであって、前記ＭＩＨ能力情報は、ＭＩＨモードパラメータおよびＭＩＨサポートパラメータを含み、前記無線ネットワークがＭＩＨ情報サービスをサポートするかどうか、前記無線ネットワークがＭＩＨコマンドサービスをサポートするかどうか、および前記無線ネットワークがＭＩＨイベントサービスをサポートするかどうかを示し、前記メッセージは、ＩＥＥＥ８０２．１６媒体アクセス制御（ＭＡＣ）管理メッセージであり、前記受信したＭＩＨパラメータに基づき前記ネットワークとの関連付けを行うように構成されたコントローラと
を備えたことを特徴とするＷＴＲＵ。
【請求項８】
前記メッセージは、ブロードキャストされることを特徴とする請求項７に記載のＷＴＲＵ。
【請求項９】
前記メッセージは、ビーコン・フレームに含まれることを特徴とする請求項８に記載のＷＴＲＵ。
【請求項１０】
前記メッセージは、前記ビーコン・フレームの能力情報フィールドに含まれることを特徴とする請求項９に記載のＷＴＲＵ。
【請求項１１】
前記ネットワークに要求を送るように構成された送信機をさらに備え、前記メッセージは、前記要求に応答して受信されることを特徴とする請求項７に記載のＷＴＲＵ。
【請求項１２】
前記メッセージは、加入者局（ＳＳ）基本能力応答（ＳＢＣ−ＲＳＰ）メッセージであり、ＳＳ基本能力要求（ＳＢＣ−ＲＥＱ）メッセージに応答して受信されるメッセージであることを特徴とする請求項７に記載のＷＴＲＵ。
【請求項１３】
前記ビーコン・フレームは、８０２．１１ｘビーコン・フレームであることを特徴とする請求項３に記載の方法。
【請求項１４】
前記ビーコン・フレームは、８０２．１１ｘビーコン・フレームであることを特徴とする請求項７に記載のＷＴＲＵ。